(57)【要約】【課題】キャリッジに着脱可能な部品の交換を液体噴射装置の電源がオフの状態で行えるようにする。【解決手段】液体噴射装置が、部品の着脱が不可能なキャッピング位置にキャリッジが位置する状態で電源オフとする第一のモードの他に、部品の着脱可能な位置にキャリッジが位置する状態で電源オフとする第二のモードを備える。第二のモードは、部品着脱の指定を受けてから電源オフ操作を受けた場合に実行される。【選択図】図３
2009226790.tif 000002
【特許請求の範囲】
【請求項１】
電源と、
液体噴射ヘッドを有し第一の部品を着脱可能なキャリッジと、
部品着脱の指定と電源オフ操作とを受け付けるユーザインタフェースと、
部品着脱の指定を受けることなく電源オフ操作を受けた場合には、前記液体噴射ヘッドにキャップがされるキャッピング位置に前記キャリッジが位置する状態で前記電源をオフとする第一のモードを実行し、部品着脱の指定を受けてから電源オフ操作を受けた場合には、前記第一の部品の着脱が不可能な前記キャッピング位置ではなく前記第一の部品の着脱が可能な部品着脱可能位置に前記キャリッジがある状態で前記電源をオフとする第二のモードを実行する制御手段と
を備える液体噴射装置。
【請求項２】
記憶手段を更に備え、
前記制御手段が、前記第二のモードにおいて、前記電源をオフするときの時刻を前記記憶手段に書き込んだ後に前記電源をオフとし、前記時刻から一定時間が経過しても前記電源がオンとされなければ、前記キャリッジを前記キャッピング位置に移動させる、
請求項１記載の液体噴射装置。
【請求項３】
前記電源がオンのときに前記電源から給電を受ける第二の部品を、前記部品着脱可能位置での前記第一の部品の着脱を妨げる位置に着脱可能に備え、
前記第二の部品は、前記電源がオフの場合に着脱可能である、
請求項２記載の液体噴射装置。
【請求項４】
前記操作パネルが、どの部品を着脱するかの指定を受け付け、
前記制御手段が、前記第一の部品の着脱の指定を受けてから電源オフ操作を受けた場合に、前記第二のモードを実行するが、前第一の部品の着脱の指定を受けずに電源オフ操作を受けた場合には、前記第一のモードを実行する、
請求項３記載の液体噴射装置。
【発明の詳細な説明】
【技術分野】
【０００１】
本発明は、キャリッジを有する液体噴射装置に関する。
【背景技術】
【０００２】
この種の液体噴射装置として、例えば特許文献１に開示のインクジェットプリンタがある。特許文献１によれば、キャリッジは、インクカートリッジが搭載されるタイプのキャリッジであり、インクカートリッジの交換の際に、キャッピング位置以外の位置に停止される。特許文献１によれば、電源オンの状態のまま、インクカートリッジが交換される。
【０００３】
【特許文献１】特開２００２−３７０３７８号公報
【発明の開示】
【発明が解決しようとする課題】
【０００４】
特許文献１によれば、インクカートリッジの交換は、電源オンの状態で行われるが、電源オフの状態で行いたいというニーズがあり得る。
【０００５】
このようなニーズは、インクカートリッジに限らず、キャリッジに着脱可能な他種の部品についても有り得る。また、このようなニーズは、インクジェットプリンタ以外の液体噴射装置についても有り得る。
【０００６】
従って、本発明の目的は、キャリッジに着脱可能な部品の交換を液体噴射装置の電源がオフの状態で行えるようにすることにある。
【０００７】
本発明の他の目的は、後の記載から明らかになるであろう。
【課題を解決するための手段】
【０００８】
液体噴射装置が、部品の着脱が不可能なキャッピング位置にキャリッジが位置する状態で電源オフとする第一のモードの他に、部品の着脱可能な位置にキャリッジが位置する状態で電源オフとする第二のモードを備える。第二のモードは、部品着脱の指定を受けてから電源オフ操作を受けた場合に実行される。キャリッジに着脱可能な部品は、液体噴射装置の必需品であっても良いし、オプションであっても良い。
【発明を実施するための最良の形態】
【０００９】
以下、本発明の一実施形態に係る液体噴射装置が適用されたインクジェットプリンタ（以下、「プリンタ」と略す）を説明する。
【００１０】
図１Ａは、本発明の一実施形態に係るプリンタの構成を示す。
【００１１】
プリンタは、印刷ヘッドを有したキャリッジ１０１と、キャリッジ１０１を走行させるためのキャリッジモータ１０３と、キャリッジモータ１０３を制御するキャリッジモータドライバ１０５と、電源回路１０７と、ＣＰＵ（Central Processing Unit）１１１と、不揮発性のメモリ１１３と、ＬＣＤ（Liquid Crystal Display）１１５と、操作パネル１１７とを備える。電源回路１０７は、電源オン状態のときにプリンタ内の複数の構成要素に給電し、電源オフ状態のときにそれら複数の構成要素の一部の構成要素にのみ給電する。一部の構成要素には、ＣＰＵ１１１が含まれる。従って、電源オフ状態であってもＣＰＵ１１１による制御が可能な構成となっている。
【００１２】
また、プリンタには、点線枠で示すように、第一のオプション装置１０２と第二のオプション装置１０９が着脱可能である。
【００１３】
第一のオプション装置１０２は、キャリッジ１０１に着脱可能である。第一のオプション装置１０２は、例えば、被印刷媒体（例えばロール状になった長尺紙）をカットするためのカッターである。しかし、それに限らず、他種の装置（例えば、色を測定するための測色装置、或いは、センサ（例えば用紙幅センサ））であっても良い。
【００１４】
第二のオプション装置１０９は、プリンタに接続されたときに電源回路１０７からの給電を受けることで通電する装置（言い換えれば、プリンタから取り外されたときに電源が遮断される装置）である。第二のオプション装置１０９は、例えば、測色装置である。しかし、それに限らず、他種の装置（例えば、被印刷媒体上のインクを乾燥させるための乾燥装置）であっても良い。
【００１５】
図１Ｂに示すように、キャリッジ１０１は、走行路１３１を往復走行する。走行路１３１には、キャッピング位置を含んだオプション着脱不可能範囲と、オプション着脱可能範囲とがある。「キャッピング位置」とは、キャリッジ１０１が有する印刷ヘッド（図示せず）にインクの乾燥を防ぐためにキャップが施される位置である。「オプション着脱不可能範囲」とは、プリンタの形状等が原因で第一のオプション装置１０２の着脱が不可能な範囲である。それに対し、「オプション着脱可能範囲」とは、第一のオプション装置１０２の着脱が可能な範囲である。キャリッジ１０１の位置は、例えば、キャリッジモータ１０３の回転方向や図示しないロータリーエンコーダからの信号で特定することが可能である。例えばメモリ１０３に、オプション着脱可能範囲に属する位置（座標）、及び／又は、オプション着脱不可能範囲に属する位置が記録されている。メモリ１０３を参照することにより、キャリッジ１０１がオプション着脱可能範囲内にあるか否かを判断することが可能である。
【００１６】
図１に示すように、第二のオプション装置１０９は、例えば、走行路１３１の長さと実質的に同じ長さを、被印刷媒体の幅方向に有する。第二のオプション装置１０９は、オプション着脱可能範囲内に位置するキャリッジ１０１に対する第一のオプション装置１０２の着脱を妨げる位置にある。また、前述したように、第二のオプション装置１０９は、プリンタに接続されたときに電源回路１０７からの給電を受けることで通電する装置であり、故に、電源オフ状態で着脱が可能である。
【００１７】
このプリンタには、キャリッジ１０１がキャッピング位置に位置する状態で電源オフとする（電源回路１０７を電源オフとする）通常モードの他に、オプション着脱モードがある。オプション着脱モードでは、キャリッジ１０１がオプション着脱可能範囲内に位置する状態で電源オフとされる。このため、電源オフ状態で、第二のオプション装置１０９だけでなく、第一のオプション装置１０２も着脱することができる。
【００１８】
以下、本実施形態で行われる処理の流れを説明する。
【００１９】
図２は、操作パネル１１７が操作されたときに行われる処理の流れを示す。
【００２０】
ＣＰＵ１１１が、操作パネル１１７を介して、オプション着脱を指定された場合（Ｓ１２１でＹＥＳ）、ＬＣＤ１１５に、電源オフ操作をして第一のオプション装置１０２を着脱することを表すメッセージを表示する（Ｓ１２２）。
【００２１】
ＣＰＵ１１１は、メモリ１１３に設定されている、オプション着脱モードを表すフラグを、“ＯＮ”とする（Ｓ１２３）。なお、オプション着脱モードフラグは、例えば、プリンタの電源オンのときに行われる初期化のときにメモリ１１３に設定されたものである。
【００２２】
ＣＰＵ１１１は、計時をスタートする（１２４）。ＣＰＵ１１１は、計時をスタートしてから第一の所定時間（第一の時間閾値）を経過しても電源オフ操作が行われなければ（Ｓ１２５でＹＥＳ）、メモリ１１３に設定されているオプション着脱モードフラグを、“ＯＦＦ”とする（Ｓ１２６）。
【００２３】
図３は、電源オフ操作が行われたときに行われる処理の流れを示す。
【００２４】
ＣＰＵ１１１が、操作パネル１１７を介して電源オフ操作を受けると、電源オフのための動作を実行する（Ｓ１３１）。その際、ＣＰＵ１１１は、電源オフ動作時の時刻（以下、便宜上「終了時刻」と言う）を、メモリ１１３に書き込む。
【００２５】
ＣＰＵ１１１は、オプション着脱モードフラグが“ＯＮ”であるか否かを判断する（Ｓ１３２）。
【００２６】
オプション着脱モードフラグが“ＯＦＦ”であれば（Ｓ１３２でＮＯ）、ＣＰＵ１１１は、通常モードを実行する。すなわち、ＣＰＵ１１１は、キャリッジ１０１がキャッピング位置に位置する状態で電源オフとする。従って、この場合、もし、キャリッジ１０１がキャッピング位置に無いと判断されるなら（Ｓ１３５でＮＯ）、ＣＰＵ１１１は、キャリッジモータドライバ１０５を制御して、キャリッジ１０１をキャッピング位置に移動させた後に、電源オフとする。
【００２７】
一方、オプション着脱モードフラグが“ＯＮ”であれば（Ｓ１３２でＹＥＳ）、ＣＰＵ１１１は、オプション着脱モードを実行する。すなわち、ＣＰＵ１１１は、キャリッジ１０１がオプション着脱可能範囲内に位置する状態で電源オフとする。従って、この場合、もし、キャリッジ１０１がオプション着脱可能範囲内に無いと判断されるなら（Ｓ１３３でＮＯ）、ＣＰＵ１１１は、キャリッジモータドライバ１０５を制御して、キャリッジ１０１をオプション着脱可能範囲内に移動させた後に、電源オフとする。
【００２８】
オプション着脱モードが実行されれば、プリンタの電源がオフ状態のときに、第二のオプション装置１０９だけでなく、第一のオプション装置１０２も取り付け及び／又は取り外しすることができる。
【００２９】
第一のオプション装置１０２の取り付け及び／又は取り外しを行う場合、ユーザは、まず、第二のオプション装置１０９を取り外す。次に、ユーザは、第一のオプション装置１０２をキャリッジ１０１から取り外す、及び／又は、第一のオプション装置１０２をキャリッジ１０２に取り付ける。その後、ユーザは、必要に応じて第二のオプション装置１０９をプリンタに接続し、プリンタの電源をオンとする。
【００３０】
図４は、電源オンとなったときに行われる処理の流れを示す。
【００３１】
ＣＰＵ１１１は、オプション着脱モードフラグが“ＯＮ”であれば（Ｓ１０１でＹＥＳ）、オプション装置の取り付けがあるかどうかを判断する（Ｓ１０２）。具体的には、例えば、ユーザからオプション装置を取り付けたことを操作パネル１１７を介して受けたか否か、や第二のオプション装置１０９と電気的に接続されているかどうかを検知することとが行われる。
【００３２】
Ｓ１０２の判断の結果が否定的であれば（Ｓ１０２でＮＯ）、ＣＰＵ１１１は、ＬＣＤ１１５に、オプション装置１０２、１０９の接続を中止するか否かの問い合わせのメッセージを表示する（Ｓ１０３）。接続を中止することをユーザから受けた場合（Ｓ１０３でＹＥＳ）、ＣＰＵ１１１は、オプション着脱モードフラグを“ＯＦＦ”とし（Ｓ１０４）、プリンタの初期化を行う（Ｓ１０９）。接続を中止しないことをユーザから受けた場合（Ｓ１０３でＮＯ）、ＣＰＵ１１１は、ＬＣＤ１１５に、電源オフ操作をして第一のオプション装置１０２を着脱することを表すメッセージを表示する（Ｓ１０６）。
【００３３】
Ｓ１０２の判断の結果が肯定的であれば（Ｓ１０２でＹＥＳ）、ＣＰＵ１１１は、オプション装置１０２、１０９の初期化を行う（Ｓ１０５）。なお、本実施形態では、第一のオプション装置１０２はカッターであるが、このＳ１０５では、例えばカッターが正しく取り付けられているかを試験する目的で被印刷媒体の試し切りが行われる。
【００３４】
Ｓ１０５の初期化がＮＧであれば（例えば第一のオプション装置１０２が正しく取り付けられていないとユーザに判断されてオプション着脱をユーザから受けた場合）（Ｓ１０６でＮＯ）、ＣＰＵ１１１は、前述したＳ１０６を実行する。
【００３５】
Ｓ１０５の初期化がＯＫであれば（Ｓ１０６でＹＥＳ）、ＣＰＵ１１１は、オプション着脱モードフラグを“ＯＦＦ”とし（Ｓ１０４）、プリンタの初期化を行う（Ｓ１０９）。なお、Ｓ１０９では、例えば、ＣＰＵ１１１は、メモリ１１３に記憶されている終了時刻（図３参照）から現在時刻までの長さに応じて、印刷ヘッドのメンテナンス量（例えばフラッシングの回数）を制御しても良い。
【００３６】
本実施形態では、プリンタの電源がオフであっても、ＣＰＵ１１１には給電がされている。このため、例えば、ＣＰＵ１１１は、電源オフ状態において図５に示す処理を実行することができる。
【００３７】
すなわち、ＣＰＵ１１１は、電源オフ状態において、オプション着脱モードフラグが“ＯＮ”であれば（Ｓ１４０でＹＥＳ）、メモリ１１３に記憶されている終了時刻から第二の所定時間（第二の時間閾値）を電源オンされることなく経過したか否かを判断する（Ｓ１４１）。
【００３８】
この判断の結果が肯定的であれば（Ｓ１４１でＹＥＳ）、ＣＰＵ１１１は、電源オンとする（Ｓ１４２）。そして、ＣＰＵ１１１は、キャリッジ１０１をキャッピング位置に戻すことの警告を出力する（例えばＬＣＤ１１５に表示する、或いは、警告音を出力する）（Ｓ１４３）。その後、ＣＰＵ１１１は、警告出力から一定時間経過後、或いは、ユーザから承認を操作パネル１１７を介して受けた後、キャリッジ１０１をキャッピング位置に移動させる（Ｓ１４４）。これにより、いつまでも電源オンとされないことによって印刷ヘッドの表面が乾いてしまうことを防ぐことができる。
【００３９】
以上、本発明の実施形態を説明したが、この実施形態は本発明の説明のための例示にすぎず、本発明の範囲をこの実施形態にのみ限定する趣旨ではない。本発明は、その要旨を逸脱することなく、その他の様々な態様でも実施することができる。
【００４０】
例えば、ＣＰＵ１１１は、操作パネル１１７に代えて、他の方法で、オプション着脱の指定及び／又は電源オフ操作を受けても良い。具体的には、例えば、ＣＰＵ１１１は、プリンタのホスト装置（図示せず）で実行されるコンピュータプログラムから特殊なコマンド（オプション着脱や電源オフを意味するコマンド）を受けても良い。
【００４１】
また、例えば、ＣＰＵ１１１は、ＬＣＤにメッセージを表示する方法に代えて、他の方法で、電源オフ操作して第一のオプション装置１０２を着脱すること等をユーザに知らせても良い。具体的には、例えば、ＣＰＵ１１１は、プリンタのホスト装置（図示せず）にメッセージを送信する、或いは音声でメッセージを出力しても良い。
【００４２】
また、例えば、Ｓ１２１におけるオプション着脱の指定では、着脱するオプション装置が何であるかの指定を受け付けることもできる。ＣＰＵ１１１は、例えば、第一のオプション装置１０２の着脱の指定を受けた場合には、オプション着脱モードフラグを“ＯＮ”とするが、第一のオプション装置１０２の着脱の指定を受けなかった場合には、オプション着脱モードフラグを“ＯＦＦ”とする。これにより、第一のオプション装置１０２が着脱されないときにまで、キャリッジ１０１がオプション着脱可能範囲内に位置する状態で電源オフとされないようにすることができ、以って、印刷ヘッドの表面の乾燥を防ぐことに貢献できる。
【００４３】
また、液体噴射装置は、インクジェットプリンタに限定されず、インク以外の液体を噴射するその他の液体噴射装置であっても良い。つまり、印刷に限らない他の記録を行う液体噴射装置であっても良い。ここで、「記録」は、印刷による記録以外に、例えば所定の特性を有する材料を含む液体を、被記録媒体としての回路基板上に噴射して配線パターンや画素などを描画する記録をも含む。例えば、液晶ディスプレイ、ＥＬ（エレクトロルミネッセンス）ディスプレイ及び面発光ディスプレイの製造などに用いられる電極材や色材などの材料が分散または溶解された液体を噴射する液体噴射装置であっても良い。
【図面の簡単な説明】
【００４４】
【図１】図１Ａは、本発明の一実施形態に係るインクジェットプリンタの構成を示す。図１Ｂは、キャリッジのオプション交換可能範囲と第二のオプション装置の位置との関係を示す。
【図２】操作パネルが操作されたときに行われる処理の流れを示す。
【図３】電源オフ操作が行われたときに行われる処理の流れを示す。
【図４】電源オンとなったときに行われる処理の流れを示す。
【図５】電源オフ状態に行われる処理の流れを示す。
【符号の説明】
【００４５】
１０１…キャリッジ  １０２…第一のオプション装置  １０９…第二のオプション装置
【図１】
2009226790.tif 000003
【図２】
2009226790.tif 000004
【図３】
2009226790.tif 000005
【図４】
2009226790.tif 000006
【図５】
2009226790.tif 000007